(57)【要約】【課題】吊元扉と戸先扉が全閉時に面一に保持でき、扉に手を掛けて閉じたとき手を離すと自動的に開放又は扉に手を掛けて開いたとき手を離すと自動的に閉鎖が円滑確実に達成可能な自開、自閉可能折戸を得る。【解決手段】戸先扉及び吊元扉からなる折戸であって、戸先扉及び吊元扉間を実質的に上下に渡るセクタギアを互いに噛合わせて回動可能に連結するギア蝶番と、戸先扉の一方上端部を上側に敷設されたレールを移動するランナーに連動するガイド軸を介して上下方向に移動可能としたガイド部と、吊元扉の他方端縁部及び縦枠に沿って下側に固着された下部ヒンジ及び上側に固着された上部ヒンジとを備え、下部ヒンジ及び上部ヒンジのいずれか一方をグレビテイヒンジとし他方をガイドヒンジとして形成し、戸先扉及び吊元扉の荷重をグレビテイヒンジに集中し折戸の開放時には自閉し、又は閉鎖時には自開する自開、自閉可能折戸。【選択図】　　　　図１
2004116267.tif 000002
【特許請求の範囲】
【請求項１】
戸先扉及び吊元扉からなる折戸であって、前記戸先扉及び吊元扉間を実質的に上下に渡るセクタギアを互いに噛合わせて回動可能に連結するギア蝶番と、戸先扉の一方上端部を上側に敷設されたレールを移動するランナーに連動するガイド軸を介して上下方向に移動可能としたガイド部と、前記吊元扉の他方端縁部及び縦枠に沿って下側に固着された下部ヒンジ及び上側に固着された上部ヒンジとを備え、前記下部ヒンジ及び上部ヒンジのいずれか一方をグレビテイヒンジとし他方をガイドヒンジとして形成し、前記前記戸先扉及び吊元扉の荷重を前記グレビテイヒンジに集中し前記折戸の開放時には自閉し、又は閉鎖時には自開することを特徴とする自開、自閉可能折戸。
【請求項２】
ギア蝶番は、前端にセクタギアをおき該セクタギアと同芯に軸受けを設け上下に間隔をおいて切欠部を有する左右一対のギア部と、断面形状が左右対称形の略台形状で内部に略台形状の空隙を有する基部と該基部の長辺側中央部の切れ目先端部に円弧状軸部が左右対称に配設されている支承材と、前記切欠部に嵌着可能で前後に固着具が螺合可能なねじ孔をもった複数個の中間押え材とを備え、戸先扉及び吊元扉端部に固着した前記セクタギアを噛合わせて前記支承部の空隙に通し、前記円弧状軸部に前記軸受けを回動可能に嵌合し、前記切欠部に中間押え材を圧入し固着具により支承材に固着したことを特徴とする請求項１に記載の自開、自閉可能折戸。
【請求項３】
ガイド部は、他方端部に係合孔をもった支持材の長手方向に一対の回動可能な転動体又は摺動体を有するランナーと該支持材と一方端部が固着され他方寄りにＴ字形に垂下するガイド軸とを含む中間部材と、前記ガイド軸と上下に摺動且つ抜出し不能とされるシリンダ部が設けられた扉取付材とを含むガイド受け部材とを備え、戸先扉の一方上端部に前記ガイド受け部材が固着され、レールに沿う前記転動体又は摺動体の移動により前記ランナーを移動し、前記中間部材と前記係合孔との係合離脱及び前記支持材と前記固着具との着脱により前記ランナーと中間部材とが固着又は分離が可能とされていることを特徴とする請求項１又は２に記載の自開、自閉可能折戸。
【発明の詳細な説明】
【０００１】
【発明の属する技術分野】
本発明は、例えばトイレ、通路等に用いられる折戸の改良に関する。
【０００２】
【従来の技術】
従来の二枚扉の折戸は、吊元扉と戸先扉とを上下の蝶番によって回動可能に連結し、吊元扉端部の上下に取付けられるピボット部と該ピボット部から離れた戸先扉他端部の上端に取付けられ上枠に敷設されたレールを転動する車輪とともに移動する吊りボルトを有し、ピボット部と吊りボルトによって吊元扉と戸先扉を合わせた可なりの重量を支持していた（例えば、特許文献１、２参照。）。
一方、一枚の扉構造において、扉に手を掛けて閉じたときに手を離すと自動的に開放し、扉に手を掛けて開いたときに手を離すと自動的に閉鎖可能なグレビテイヒンジを用いた扉があった（例えば、特許文献３参照。）。
【０００３】
【特許文献１】
実開昭６３−１８６８７５号公報（第１〜４図）
【特許文献２】
特開平１０−１８６９２号公報（［００１３］〜［００１７］、第１〜４図）
【特許文献３】
特開２００１−２０７７２０号公報（［００１３］〜［００１４］、第１、２、５図）
【０００４】
【発明が解決しようとする課題】
近時特に老人、身障者のようなハンディキャップをもった人がトイレ、通路等において使用する二枚扉の折戸について、扉に手を掛けて閉じたとき手を離すと自動的に開放し、又は扉に手を掛けて開いたとき手を離すと自動的に閉鎖可能にしたいという課題があるが、前記した従来の二枚扉は上下の蝶番によって連結されているだけであるから、戸先扉側の大きな荷重がその連結部に集中して変形により前閉時に吊元扉と戸先扉が面一でなくなることがある。又戸先扉吊りボルトと吊元扉のピボット部で扉全体の荷重を分担しているため、仮にピボット部をグレビテイヒンジに置換えてもグレビテイヒンジに加わる荷重が十分でなく、扉を円滑に開放するか又は閉鎖することができない。
これに対し、本発明は連結部の変形がなく吊元扉と戸先扉が全閉時に面一に保持でき、扉に手を掛けて閉じたとき手を離すと自動的に開放又は扉に手を掛けて開いたとき手を離すと自動的に閉鎖が円滑確実に達成可能な自開、自閉可能折戸を得ることを目的とする。
【０００５】
【課題を解決するための手段】
この目的を達成するために、請求項１の発明にあっては、戸先扉及び吊元扉からなる折戸であって、前記戸先扉及び吊元扉間を実質的に上下に渡るセクタギアを互いに噛合わせて回動可能に連結するギア蝶番と、戸先扉の一方上端部を上側に敷設されたレールを移動するランナーに連動するガイド軸を介して上下方向に移動可能としたガイド部と、前記吊元扉の他方端縁部及び縦枠に沿って下側に固着された下部ヒンジ及び上側に固着された上部ヒンジとを備え、前記下部ヒンジ及び上部ヒンジのいずれか一方をグレビテイヒンジとし他方をガイドヒンジとして形成し、前記前記戸先扉及び吊元扉の荷重を前記グレビテイヒンジに集中し前記折戸の開放時には自閉し、又は閉鎖時には自開する自開、自閉可能折戸により解決した。
請求項２の発明にあっては、ギア蝶番は、前端にセクタギアをおき該セクタギアと同芯に軸受けを設け上下に間隔をおいて切欠部を有する左右一対のギア部と、断面形状が左右対称形の略台形状で内部に略台形状の空隙を有する基部と該基部の長辺側中央部の切れ目先端部に円弧状軸部が左右対称に配設されている支承材と、前記切欠部に嵌着可能で前後に固着具が螺合可能なねじ孔をもった複数個の中間押え材とを備え、戸先扉及び吊元扉端部に固着した前記セクタギアを噛合わせて前記支承部の空隙に通し、前記円弧状軸部に前記軸受けを回動可能に嵌合し、前記切欠部に中間押え材を圧入し固着具により支承材に固着した請求項１に記載の自開、自閉可能折戸とすることができる。
請求項３の発明にあっては、ガイド部は、他方端部に係合孔をもった支持材の長手方向に一対の回動可能な転動体又は摺動体を有するランナーと該支持材と一方端部が固着され他方寄りにＴ字形に垂下するガイド軸とを含む中間部材と、前記ガイド軸と上下に摺動且つ抜出し不能とされるシリンダ部が設けられた扉取付材とを含むガイド受け部材とを備え、戸先扉の一方上端部に前記ガイド受け部材が固着され、レールに沿う前記転動体又は摺動体の移動により前記ランナーを移動し、前記中間部材と前記係合孔との係合離脱及び前記支持材と前記固着具との着脱により前記ランナーと中間部材とが固着又は分離が可能とされている請求項１又は２に記載の自開、自閉可能折戸とすることができる。
【０００６】
【発明の実施の形態】
本発明の実施の形態を図面に基づき以下詳細に説明する。
図１乃至図３は、本発明の自開、自閉可能折戸の一例の全閉から全開までの作動状態及び一部を分解した概略斜視図である。
図４は、図１乃至図３の自開、自閉可能折戸に用いるガイド部の構成要素の概略斜視図である。
図５は、図１乃至図３の自開、自閉可能折戸に用いるギア蝶番の概略斜視図及び構成要素の部分図である。
図６は、図１乃至図３の自開、自閉可能折戸に用いる下部ヒンジ及び上部ヒンジの構成要素の概略斜視図である。
図７は、図６の下部ヒンジの概略組立及び作動状態を示す概略斜視図である。
各構成要素の位置関係の説明は折戸としての使用状態で行い、二枚の扉の連結部の折曲がり部分の軌跡が移動する側を外側又は後側とし、その反対側を内側又は前側とし、内側から外側からに見て上下、左右として説明する。
又以下の説明では、内側より視て左側に吊元扉Ｙを、右側に戸先扉Ｘを配設した例によっているが、施工現場に合わせ左右入替えて配設することもできる。更に、各構成要素は各図に合わせて左右として説明するが、施工現場に合わせ左右入替えた構成のものを用いることができる。
ここで説明明瞭化のために、図１乃至５は外側よりみた図であり、図６、７は内側よりみた図であり視点が相違している。又重複する構成要素は一部符号記載を省略してある。
【０００７】
本発明の一例の自開、自閉可能折戸１（以下単に折戸と略す）は、図１乃至３に示す通りで、戸先扉Ｘ、吊元扉Ｙ、ガイド部２、ギア蝶番３、下部ヒンジ４及び上部ヒンジ５を備えている。
そして、折戸１を取付ける周辺には直立する右縦枠Ｐ１及び左縦枠Ｐ２と、下面水平な上枠Ｐ３と、床面とで方形状の開口部が形成され、上枠Ｐ３の下面に沿って下向きに開口する上部レールＱが敷設されている。右縦枠Ｐ１及び左縦枠Ｐ２下端にはフートステップＦがそれぞれ床面との隙間に介在しているが、隙間をおかずフートステップＦを設けない場合もある。そして本例では、折戸１の全閉時において右縦枠Ｐ１及び左縦枠Ｐ２と戸先扉Ｘ及び吊元扉Ｙが前後に食違う所謂パブリックタイプの折戸構造に好適でありこれについて説明するが、面一の折戸構造にも適用可能である。
ガイド部２は、図４に示す通りで、ランナー２１と、中間部材２２と、ガイド受け部材２３とを有している。
ランナー２１は、一個の支持材２１１と、各一対の転動体２１２及び転動軸２１３とを有している。支持材２１１は通常金属製細幅板材で、左右垂直片により下向き開口の略コ字形に形成された上側片２１１ａと該上側片２１１ａと段違いに水平方向に下側片２１１ｂが連設され、上側片２１１ａと下側片２１１ｂに転動軸２１３を挿着する軸孔２１１ｄが穿設され、下側片２１１ｂの軸孔２１１ｄ（目視できない）の左側にねじ孔２１１ｃが穿設されている。上側片２１１ａの左側垂直片には異形例えば略方形状の係合孔２１１ｅが穿設されている。転動体２１２は低摩擦の金属又は硬質プラスチック製車輪で、中央部に転動軸２１３が貫通され軸芯回りに回動可能なように段付き軸孔２１２ａが穿設されている。転動軸２１３は通常金属製で、同軸の軸部とその一方端部に鍔部及び他方端部に小径段部を有し、段付き軸孔２１２ａに転動軸２１３の鍔部が摺動可能とされ、小径段部は各軸孔２１１ｄに挿着されかしめ等によって上側片２１１ａ及び下側片２１１ｂに固着され、転動体２１２は上側片２１１ａと下側片２１１ｂにおいて上下の向きは異なるが転動面は同じ水平レベルにおかれる。
ここで転動体２１２及び転動軸２１３を廃し、低摩擦の金属又は硬質プラスチック製のレールＱに沿って摺動可能な弧状の摺動体を例えば前後左右対称位置に配設してもよいが、転動体２１２及び転動軸２１３を用いた場合に比し、折戸１の開閉がやや重くなるものの、ランナーの構造が簡単となる利点がある。
【０００８】
中間部材２２は、連結材２２１と、ガイド軸２２２と、固着具２２３と、止め輪２２４とを有している。連結材２２１は通常金属製細幅板材で、左端側に先端部が係合孔２１１ｅに係脱可能な異形例えば略方形状の係合片２２１ａが突設され、右端寄りに通し孔２２１ｂが設けられ、左右略中央部よりやや左側寄りに軸孔２２１ｃが穿設されている。ガイド軸２２２は通常金属製円形軸体で、同軸の軸部とその上方端部に小径の先端固着部２２２ｃ、及び下部に小径段部２２２ａとを有し、小径段部２２２ａの下端末部に細溝２２２ｂが周面に設けられている。小径段部２２２ａはここにコイルばね（図示省略）を組立て作業を円滑化のために装填する場合以外は必ずしも必須のものではなくガイド軸２２２の軸部と同径であってもよい。先端固着部２２２ｃを連結材２２１の軸孔２２１ｃに下方より嵌着し、先端固着部２２２ｃを上からかしめ等によりガイド軸２２２と連結材２２１を略Ｔ字形に固着する。固着具２３３は通常頭付小ねじで、通し孔２２１ｂを貫通してねじ孔２１１ｃに螺合し支持材２１に連結材２２１を固着可能としている。止め輪２４は、細溝２２２ｂに嵌着可能な大きさでガイド軸２２２が後述する貫通孔２３１ｄから抜出すのを防止している。
ガイド受け部材２３は扉取付材２３１と、カバー２３２と、固着具２３３とを有している。扉取付材２３１は、通常金属又は硬質プラスチック製で板状の基板２３１ａの左右に先端部に雌ねじ孔を有するスタッド２３１ｂが立設され、スタッド２３１ｂの中間で基板２３１ａの左右略中央部垂直方向に略Ｕ字状に延び中心軸にガイド軸２２２が摺動可能な貫通孔２３１ｄが穿設されたシリンダ部２３１ｃが形成されている。カバー２３２は、外形が基板２３１ａと同様の通常金属又は硬質プラスチック製板状で左右にスタッド２３１ｂに対向する位置に固着孔２３２ａが穿設され、スタッド２３１ｂとカバー２３２の固着孔２３２ａを合わせ戸先扉Ｘ上縁部を中間におき固着するために一対の通常頭付小ねじの固着具２３３が用意されている。
【０００９】
折戸１に用いるギア蝶番３は、図５に示す通り、アーム部３１、ギア部３２、支承材３３、中間押え材３４を有し、好ましくはシール材３５が選択的付加構成とされている。アーム部３１、ギア部３２は通常例えばアルミ、真鍮又は鉄等の引抜き材製である。
アーム部３１は、戸先扉Ｘ及び吊元扉Ｙの上下高さＬに合わせ上下を通して同一断面形状の長尺部材で左右対称に向合わせて形成されているが、ここで左側［図５（ｂ）においては後側よりみると右側となる］すなわち吊元扉Ｙが取付けられる側の長尺部材について説明する。板状の基部３１１の一方全体に跨がって吊元扉Ｙの前後厚みＴ（戸先扉Ｘと同じ）に合わせた幅の溝形の扉取付部３１２が設けられ、扉取付部３１２後端の反対側に断面リップ付溝形のシール材取付部３１３が設けられ、基部３１１の前端末には扉取付部３１２の張出し片とその反対側にＬ字形に形成された連結部３１４が連設されている。そして、右側［図５（ｂ）においては後側よりみて左側となる］すなわち戸先扉Ｘが取付けられる側の長尺部材は、前記左側の吊元扉Ｙの取付け側と対称形である。
ギア部３２は、吊元扉Ｙが取付けられる側は図５（ｅ）に示す通りで、連結部３１４の前端末に連設されたセクタギア３２１とその歯先反対側の円弧状の軸受け３２２とで形成されている。セクタギア３２１の歯先円弧面は半径ｒ１、歯元円弧面は半径ｒ２及び軸受け３２２は直径Ｄにとられている。ここで、セクタギア３２１の歯の中心角θは折戸に組立てたてたとき閉鎖状態から開放状態又は開放状態から閉鎖状態へ移動可能な範囲で略９０度の円周面に形成される。ギア部３２の上下全長は、扉高さＬに合わせてあるが、図３（ｂ）及び図５（ａ）に示す通り上下に間隔をおいて一部に僅かな切欠部３２５が形成されている。戸先扉Ｘが取付けられる側のギア部３２は前記吊元扉Ｙのギア部３２と対称形にとられている。
【００１０】
シール材３５は、折戸閉鎖状態において図２（ａ）、図５（ｂ）及び開放状態において図３（ａ）、図５（ａ）に示す通りで、ゴム又は軟質プラスチック等の軟質材製で、上下全長Ｌにとられ断面形状が長手方向に一定で、細幅板状のベース片３５１と突出片３５２とで略Ｔ字形に形成され，ベース片が各シール材取付部３１３の端面より長手方向に圧入可能とされている。シール材３５の突出片３５２のベース片３５１よりの高さは折戸閉鎖状態において、左右対称形で双方の突出片先端部が僅かに好ましくは２〜３ｍｍ幅程度食違って重なり合い、基部３１１とＬ字形の連結部３１４とで形成された空隙が外側より隠されるように選定される。ここでシール材取付部３１３は、シール材３５のベース片３５１を接着又はビス等の固着具によって固着し断面を単に溝形とすることもできる。シール材３５は軟質材製であり扉閉鎖時に指つめを防止でき、扉の厚さＴが大きい場合に効果的であるが必須構成要素ではなく、使用しないときはシール材取付部３１３は不要である。
支承材３３は、通常例えばアルミ、真鍮又は鉄等の引抜き材製で、図５（ａ）（ｂ）（ｄ）に示す通りで、図５（ｄ）では上が前側、下が後側であって、上下全長Ｌで長手方向に一定断面形状で表面が左右対称形の略台形状で内部に該表面と平行する左右傾斜面３３２と平坦な前面３３３とで形成された略台形状の空隙を有する基部３３１と、基部３３１の長辺側中央部におかれた切れ目の先端部に円弧状軸部３３４が左右対称に配設されている。軸部３３４の直径ｄはギア部３２の軸受け３２２の直径Ｄより僅かに小さく摺動可能にとられ、組立て時において、軸部３３４を軸芯としてギア部３２が回動可能とされる。
中間押え材３４は、通常例えば硬質プラスチック又はアルミ、真鍮若しくは鉄等の金属製で、図５（ｃ）に示す通りで、上下方向にみて対称形の左右傾斜面３４２と平坦な前面３４３と円弧状後面３４４で形成された略台形状の基部３４１と、基部３４１の後寄り左右側面に直径ｄに対しマイナス公差の直径ｄ１の左右対称の貫通孔３４５が貫通され、略方形状の後面３４４中央部から前後にねじ孔３４６が貫通されている。ギア蝶番３の組立て時において、中間押え材３４はギア部３２の切欠部３２５と同じ上下位置において、支承材３３の左右傾斜面３３２、前面３３３及び軸部３３４がそれぞれ中間押え材３４の左右傾斜面３４２、前面３４３及び貫通孔３４５と対応して嵌着され、後側からねじ孔３４６に固着具３４７を螺合して先端を僅かに突出せしめて支承材３３に固着される。この固着された中間押え材３４にギア部３２の左右の切欠部３２５が押さえられて、組立てて左右のセクタギア３２１が噛合ったとき吊元扉Ｙと戸先扉Ｘとの関係位置が上下にずれることを防止している。中間押え材３４及び切欠部３２５は通常複数個用いられるがその大きさは、ギア部３２の全長Ｌに対し極く小さく左右ギア部３２の噛合いは実質的には全長Ｌに渡ってなされている。
【００１１】
折戸１に用いる下部ヒンジ４及び上部ヒンジ５は、図６、７に示すが、図６（ａ）は下部ヒンジ４の構成全部を示し、図６（ｂ）は上部ヒンジ５において下部ヒンジ４と重複する部分を省略した一部構成を示す。
下部ヒンジ４は、下ヒンジ材４Ｄと上ヒンジ材４Ｕとよりなる。下ヒンジ材４Ｄは取付け部材４１、下軸筒部４２、基軸４３、下側カム部４４を有している。
取付け部材４１は、表板４１１、中間板４１２、スタッド４１３、固着具４１４とを有し、表板４１１は縦長略方形状の基板に一対の固着孔４１１ａが上下に穿設され、中間板４１２は縦長略方形状の基板に一対のスタッド取付け孔４１２ａが上下に穿設され、スタッド４１３は前側軸芯に雌ねじ孔４１３ａを有しスタッド取付け孔４１２ａに溶着、かしめ等によって立設され、固着具４１４は通常止めねじで雌ねじ孔４１３ａに螺合可能とされる。
下軸筒部４２は、通常金属製の外筒部４２１と、硬質プラスチック製の内筒部４２２とを有している。外筒部４２１は、断面略Ｃ形状で突合わせ位置に縦長スリット４２１ａが形成されている。内筒部４２２は、断面略Ｄ形状の本体４２２ａの上端に抜止めフランジ４２２ｂをもち、本体４２２ａには軸芯を合わせて下側より後述する基軸４３の軸部４３ａが挿着可能な軸孔（図示省略）と、基軸４３の断面八角形の突起部４３ｂが挿着可能な断面八角形の位置決め凹部４２２ｃと、下側カム部４４が挿着可能な円形皿状のカム嵌合部４２２ｄとが設けられ、カム嵌合部４２２ｄが上側に開口している。本体４２２ａの前側面には中間板４１２の外形に合わせて嵌込み凹部４２２ｅが設けられている。
基軸４３は、上下の円形軸部４３ａと中部の断面八角形突起部４３ｂとが同軸に形成され、下方軸部４３ａが本体４２２ａ下側の軸孔に圧入され、突起部４３ｂの下方部分が位置決め凹部４２２ｃに圧入され、突起部４３ｂの上方部分はカム嵌合部４２２ｄに突出状態となり、上方軸部４３ａは本体４２２ａに対し固定され上端から上方に突出しておかれる。
下側カム部４４は例えば前記［特許文献１］に記載のグレビテイヒンジと同様のものが用いられているが必ずしもこれに限定されない。下側カム部４４は、硬質プラスチック製の外側円筒状体４４ａに内接する内側円筒状体４４ｂが同軸で設けられ、内側円筒状体４４ｂ軸芯に基軸４３の断面八角形突起部４３ｂが挿通可能な断面八角形挿通孔４４ｃが貫通されている。外側円筒状体４４ａ上端縁には最も高い頂部から左右に振分けて最も低い谷部まで連続する勾配に取られた対称形の外側傾斜カム面ｘをもち、内側円筒状体４４ｂ上端縁には外側傾斜カム面ｘと位相を１８０度ずらした内側傾斜カム面ｙがそれぞれ上向きに設けられている。ここで外側傾斜カム面ｘ及び内側傾斜カム面ｙのように二重カム構造とはせず、一重カム構造としてもよいが、二重とするとカム面に対する扉の荷重の負荷が分散されるので、耐久性が格段に優れるので好ましい。
ここで基軸４３の突起部４３ｂ、挿通孔４４ｃ及び位置決め凹部４２２ｃは八角形に形成されているが、これは扉の開き角度を微調整する場合に対応するためのもので、八角形に限定されず、調整したい必要に応じて他の多角形又は異形状とすることもできる。
【００１２】
上ヒンジ材４Ｕは取付け部材４５、上軸筒部４６、連結部４７、上側カム部４８を有している。
取付け部材４５は、裏板４５１、スタッド４５２、固着具４５３とを有し、裏板４５１は縦長略方形状の基板に一対の一対のスタッド取付け孔が上下に穿設され、スタッド４５２は前側軸芯に雌ねじ孔４５２ａを有し該スタッド取付け孔に溶着、かしめ等によって立設され、固着具４５３は一対の通常止めねじで雌ねじ孔４５２ａに螺合可能とされる。
上軸筒部４６は、通常金属製の外筒部４６１、硬質プラスチック製の内筒部４６２、固着具４６３、キャップ４６４を有している。外筒部４６１は、一側を円筒状の本体４６１ａとし他側を板状の羽根部４６１ｂとし一体に形成され、羽根部４６１ｂには固着具４５３を挿通しスタッド４５２の雌ねじ孔４５２ａと螺合せしめる一対の固着孔４６１ｃが上下に穿設されている。内筒部４６２は、円筒状の本体４６２ａの下端にフランジ４６２ｄをもち、外周面略切線方向に回転止めリブ４６２ｃが設けられ、本体４６２ａには図示しないが軸芯方向に下側に開口した上側カム部４８が挿着可能な円形皿状のカム嵌合部及び該カム嵌合部上側に続いて連結軸４７が嵌着可能な方形状軸孔が設けられ、塞がれている該方形状軸孔上端部の蓋に通し孔が穿設され、該通し孔の上側にキャップ取付け孔４６２ｂが設けられている。固着具４６３は．本体４６２ａの通し孔を通して連結部４７上端の雌ねじ孔４７ａと螺合可能な止めねじである。キャップ４６４は、通常硬質プラスチック製円形状で、下方に爪が突設されキャップ取付け孔４６２ｂに圧入される。
上側カム部４８は前記下側カム部４４を上下転倒し外側傾斜カム面ｘ及び内側傾斜カム面ｙを下向きとしたものであるが、軸芯の挿通孔は八角形ではなく基軸４３の上方軸部４３ａが摺動可能な円形とされている。この上下側カム部４８、４４の各傾斜カム面ｘ、ｙが突合わされてグレビテイヒンジが形成される。
連結軸４７は、上軸筒部４６の下側方形状軸孔に嵌着可能な方形体状で下端面に上側カム部４８のカム面の反対面が接着、溶着等によって軸芯を合わせて固着され、上側カム部４８下面側から連結軸４７の軸芯に上方軸部４３ａが摺動可能な円形孔が設けられ上端面は塞がれて固着具４６３が螺合可能な雌ねじ孔４７ａが設けられている。ここで連結軸４７と上側カム部４８は別体としてあるが、当初より一体物として形成してもよい。
【００１３】
上部ヒンジ５は、下部ヒンジ４の部分の一部記載説明を省略し、変更箇所について図６（ｂ）を参照し説明する。上部ヒンジ５は、下ヒンジ材５Ｄと上ヒンジ材５Ｕとよりなり、下ヒンジ材５Ｄは取付け部材４１、下軸筒部５２、基軸５３を有し、下側カム部４４の構成はなく、取付け部材４１は説明省略する。
下軸筒部５２は、外筒部４２１と、硬質プラスチック製の内筒部５２２とを有している。外筒部４２１は前記した下部ヒンジ４と同じで、内筒部５２２は、断面略Ｄ形状の本体５２２ａの上端に抜止めフランジ５２２ｂをもち、フランジ５２２ｂには軸芯を合わせて上側に円形突起部５２２ｄが突設され、基軸５３が圧入可能なめくら孔の軸孔５２２ｃが突起部５２２ｄ、フランジ５２２ｂ及び本体５２２ａを通して設けられている。本体５２２ａの前側面には中間板４１２の外形に合わせて嵌込み凹部５２２ｅが設けられている。
基軸５３は、前記基軸４３と異なり円柱シャフト状で下方部分は軸孔５２２ｃに圧入され、上方部分は突起部５２２ｄから上方に固定し、突出しておかれる。
上ヒンジ材５Ｕは、取付け部材４５（図示省略）、上軸筒部５６を有し、連結軸４７、上側カム部４８の構成は存在せず、相違する上軸筒部５６の内筒部５６２のみを説明する。
上軸筒部５６は外筒部４６１、内筒部５６２、固着具４６３、キャップ４６４を有している。
内筒部５６２は、硬質プラスチック製の円筒状の本体５６２ａの下端にフランジ５６２ｄをもち、外周面略切線方向に回転止めリブ５６２ｃが設けられ、本体５６２ａには図示しないが軸芯方向に下側に開口した円形突起部５２２ｄが摺動可能な円形皿状嵌合部及び該嵌合部の上側に続いて基軸５３の上方部分が摺動可能な軸孔が設けられ、該軸孔の塞がれている上端部の蓋に雌ねじ孔が穿設され、該雌ねじ孔の上側にキャップ取付け孔５６２ｂが設けられ、固着具４６３を雌ねじ孔に螺合し先端の下方への突出量を調整し基軸５３の上下量を規制する。ここで基軸５３の上方部分と本体５６２ａの軸孔と、円形突起部５２２ｄと円形皿状嵌合部とでガイドヒンジが形成され互いに摺動可能で本体５６２ａは上下に移動可能とされ、後述する通り折戸１の荷重支持に関与せず単にガイドとして作用する。
【００１４】
次に折戸１の組立てについて各部から折戸全体の組立ての順に説明する。
（イ）ガイド部２
ガイド部２は、図４に示す通り先ずランナー２１を組立てる。前記各転動体２１２の中央部に各転動軸２１３を貫通し、段付き軸孔２１２ａに転動軸２１３の鍔部が摺動可能とされ、小径段部は各軸孔２１１ｄに挿着されかしめ等によって上側片２１１ａ及び下側片２１１ｂに固着する。各転動体２１２は上側片２１１ａと下側片２１１ｂにおいて上下の向きは異なるが転動面は同じ水平レベルにおかれ、転動軸２１３回りに回動可能とする。
中間部材２２の組立ては、連結材２２１の軸孔２２１ｃにガイド軸２２２の先端固着部を下方より嵌着し上からかしめ等によりガイド軸２２２を連結材２２１に固着し連結材２２１とガイド軸２２２をＴ字形に形成する。
シリンダ部２３１ｃの貫通孔２３１ｄ上方よりガイド軸２２２を小径段部２２２ａ側より貫通せしめ、シリンダ部２３１ｃ下端末より突出している細溝２２２ｂに止め輪２２４を嵌着しガイド軸２２２の上方への飛出し不能とする。前記貫通孔２３１ｄと小径段部２２２ａとの間の間隙に図示省略のコイルばねを装填する場合は、予め該段部回りにコイルばねを装填したうえで貫通すればよい。その後図１に示す通り、戸先扉Ｘ上縁部前側にシリンダ部２３１ｃを埋込み可能な凹部及びスタッド２３１ｂを扉厚さ方向に挿通可能な貫通孔を設け、扉取付材２３１対し戸先扉Ｘ後側にカバー２３２を当て固着孔２３２ａとスタッド２３１ｂ雌ねじ孔に固着具２３３を挿着して固着する。
このガイド部２において、係合片２２１ａと係合孔２１１ｅとの係合離脱及び支持材２１１と固着具２２３との着脱によりランナー２１と中間部材２２とが固着又は分離が可能とされ、戸先扉Ｘ及び吊元扉Ｙを合わせ可なりの重量の組立て作業においてレールＱとランナー２１の挿通及び上部ヒンジ５と下部ヒンジ４への装着の各作業が分離でき、安全且つ労力節減となる。
（ロ）ギア蝶番３
ギア蝶番３は、左側用及び右側用の一対を用い双方のシール材取付部３１３にシール材３５のベース片３５１を圧入し該ベース片３５１の中央部より突出片３５２を突出させ、シール材取付部３１３の上下端部をかしめるか、シール材３５を接着ビス等の固着具によるかしてシール材取付部３１３に固着する。次いで、左右双方のギア部３２のセクタギア３２１を噛合わせて支承材３３の基部３３１の略台形状の空隙に長手方向に上側より通し、このとき軸部３３４に軸受け３２２が嵌合するようにし、双方のセクタギア３２１はそれぞれの軸部３３４と軸受け３２２の軸芯回りに回動可能とする。支承材３３の上端がギア部３２の切欠部３２５に達したときに中間押え材３４を該切欠部３２５後側より圧入し、更に下方に押下げ逐次切欠部３２５に同様に中間押え材３４７を後側より圧入し全長Ｌのシール材３５、支承材３３、戸先扉Ｘ及び吊元扉Ｙの各上下端が揃った所で、上下端側にある中間押え材３４のねじ孔２４６に外側より固着具３４７を螺合し、内側にある支承材３３に固着具３４７先端を僅かに突出させて上下位置を固定し重量によるずれを防ぐようにして、ギア蝶番３の組立てが完了する。
ギア蝶番３は、戸先扉Ｘ及び吊元扉Ｙの実質的に上下に渡るセクタギア３２１を互いに噛合わせて回動可能としており、戸先扉Ｘ側の大きな荷重が従来の上下の蝶番のように連結部に局部的に集中することなく分散して吊元扉Ｙに伝えられ、変形により前閉時に戸先扉Ｘと吊元扉Ｙが面一に揃わなくなることがない。
【００１５】
（ハ）下部ヒンジ４
下部ヒンジ４について、先ず下ヒンジ材４Ｄを組立てる。前記基軸４３の下方軸部４３ａを内筒部４２２の本体４２２ａ下側の軸孔に圧入し、突起部４３ｂ下方部分を位置決め凹部４２２ｃに圧入し、突起部４３ｂの上方部分はカム嵌合部４２２ｄに突出状態とし、基軸４３を本体４２２ａに対し固定し上方軸部４３ａを本体４２２ａ上方に突出状態とし、突起部４３ｂに下側カム部４４の挿通孔４４ｃを通しカム嵌合部４２２ｄに下側カム部４４を嵌着しておく。予め突起部４３ｂと挿通孔４４ｃの八角形の相対位置を調整して下側カム部４４の位置を選択しておく。
他方、中間板４１２のスタッド取付け孔４１２ａに一対のスタッド４２３を固着し、嵌込み凹部４２２ｅに嵌合して内筒部４２２に組付けて内筒部４２２を外筒部４２１に上方から圧入する。次いで、一部記載省略してあるが図１、７（ａ）に示す通り、左縦枠Ｐ２の右端部下方位置に上下一対のスタッド挿通孔１０ａを穿設し、各スタッド挿通孔１０ａに各スタッド４１３を通し左縦枠Ｐ２前面側に表板４１１を当接し固着具４１４を前面側より雌ねじ４１３ａに螺合し、下ヒンジ材４Ｄを左縦枠Ｐ２下方位置に取付ける。このとき下側カム部４４の外側傾斜カム面ｘ及び内側傾斜カム面ｙは上向きにおかれる。
次に、上ヒンジ材４Ｕを組立てる。吊元扉Ｙの左端部で下ヒンジ材４Ｄの僅かに上方位置に取り付ける。
互いに固着された上側カム部４８及び連結軸４７を内筒部４６２の下側よりカム嵌合部及び方形状軸孔に挿着し上側より固着具４６３を螺合して固着した内筒部４６２を、外筒部４６１の円筒状本体４６１ａに下方から圧入し、キャップ取付け孔４６２ｃにキャップ４６４を圧入する。
取付け部材４５の裏板４５１にスタッド４５２を固着し、図１、７（ａ）に示す通り、吊元扉Ｙの端部で下ヒンジ材４Ｄより僅かに上方位置に上下一対のスタッド挿通孔１０ｂを穿設し、各スタッド挿通孔１０ｂに後側より各スタッド４５２を通し吊元扉Ｙ前面側に外筒部４６１の羽根部４６１ｂを当接して固着孔４６１ｃをスタッド挿通孔１０ｂと合わせ固着具４５３を前面側より雌ねじ４５２ａに螺合し、上ヒンジ材４Ｕを吊元扉Ｙの端部に取付ける。このとき上側カム部４８の各傾斜カム面ｘ、ｙは下向きにおかれる。ここの吊元扉Ｙと左縦枠Ｐ２とは面一でなく前後食違った所謂パブリックタイプであるが、面一構造であってもよい。
（ニ）上部ヒンジ５
上部ヒンジ５については先ず下ヒンジ材５Ｄを組立てる。前記した基軸５３の下方部分を本体５２２ａの軸孔５２２ｃに圧入し、上方部分を突起部５２２ｄから上方に突出状態とし、前記下ヒンジ４Ｄと同様にして図１、７（ａ）に示す通り下ヒンジ材５Ｄを左縦枠Ｐ２上方位置に取付ける。
次に、上ヒンジ材５Ｕを組立てるが、前記上ヒンジ４Ｕと同様にして吊元扉Ｙの端部で下ヒンジ材５Ｄより僅かに上方位置に取り付ける。このとき、基軸５３の上方部分と本体５６２ａの軸孔と、円形突起部５２２ｄと円形皿状嵌合部とでトップヒンジが形成され互いに摺動可能で、フランジ５２２ｂの上端を下限とし突設されている円形突起部５２２ｄに沿って内筒部５６２の本体５６２ａは上下に移動可能とされる。
【００１６】
（ホ）折戸全体の組立て
図１、４（ｂ）に示す通り、上枠Ｐ３下面に沿って敷設された下向きに開口するレールＱの内面に端部から組立てたガイド部２のランナー２１の各転動体２１２を挿通しレールＱに沿って転動可能にしておく。戸先扉Ｘと吊元扉Ｙとをギア蝶番３の取付けによって互いに折曲げ可能とし、戸先扉Ｘのギア蝶番３と反対側（前側よりみて右端部）上縁部に扉取付材２３１及びカバー２３２を固着具２３３により固着する。
このときガイド受け部２３の貫通孔２３１ｄ上方より、連結材２２１と略Ｔ字形に固着されたガイド軸２２２を貫通せしめ、下端末より突出している細溝２２２ｂに止め輪２２４を嵌着しガイド軸２２２を上方へ飛出し不能としておく。
吊元扉Ｙのギア蝶番３の反対側（前側よりみて左端部）下方位置に上ヒンジ材４Ｕを取付け、上側カム部４８の各傾斜カム面ｘ、ｙは下向きにおく。又吊元扉Ｙのギア蝶番３の反対側上ヒンジ材４Ｕから離れた上方位置に上ヒンジ材５Ｕを取付ける。
下ヒンジ材４Ｄを左縦枠Ｐ２の上ヒンジ材４Ｕより僅かに下方位置に取付け、下側カム部４４の各傾斜カム面ｘ、ｙは上向きにおく。又下ヒンジ材５Ｄを左縦枠Ｐ２の上ヒンジ材５Ｕより僅かに下方位置に取付ける。
この状態において、戸先扉Ｘと吊元扉Ｙを吊り込むが、戸先扉Ｘ先端部側のガイド部２の支持材２１１の係合孔２１１ｅと連結材２２１の係合片２２１ａを係合し、ねじ孔２１１ｃと通し孔２２１ｂを重ねて固着具２２３を下から螺合すると、「レールＱに沿ってランナー２１の転動→中間部材２２の左右移動→ガイド軸２２２の左右移動→ガイド受け部２３の左右移動＋上下移動→戸先扉Ｘ上縁部の左右移動＋上下移動」の作動を円滑に行うことができる。
吊元扉Ｙの上ヒンジ材４Ｕを左縦枠Ｐ２の下ヒンジ材４Ｄに、吊元扉Ｙの上ヒンジ材５Ｕを左縦枠Ｐ２の下ヒンジ材５Ｄにそれぞれ上から下ろすと、下ヒンジ材４Ｄと上ヒンジ材４Ｕの各傾斜カム面ｘ、ｙが突合わされ上下側カム部４８、４４によって下部ヒンジ４にグレビテイヒンジが形成される。そして下ヒンジ材５Ｄの円形突起部５２２ｄ及び基軸５３と上ヒンジ材５Ｕの本体５６２ａの円形皿状嵌合部及び軸孔により上部ヒンジ５にガイドヒンジが形成され、上下に円滑に移動可能となり、折戸１の荷重支持に関与せず単にガイドとして作用する。
【００１７】
次に折戸１の作動について説明する。
自閉可能折戸の場合、折戸１は図７（ａ）、（ｃ）に示す全閉時においては、下部ヒンジ４は上向きの下側カム部４４と下向きの上側カム部４８の各傾斜カム面ｘ、ｙは全体に重なり合って、上側カム部４８より上の上ヒンジ材４Ｕは下限位置にあり、上部ヒンジ５の内筒部５６２より上の上ヒンジ材５Ｕも下限位置にある。この状態で扉に手を掛けてＭ方向に開き、図２（ｂ）に示す半開き状態から、図３（ａ）、図７（ｂ）（ｄ）に示す全開としたとき上側カム部４８は各傾斜カム面ｘ、ｙに沿ってスライドしながら上昇し全開時に上限位置に達し、手を離すと上下側カム部４８、４４に折戸１の全荷重が集中するため各傾斜カム面ｘ、ｙに沿って降下し折戸１は自動的にＮ方向へ動き元の全閉時に戻る。
自開可能折戸の場合、基軸４３の断面八角形突起部４３ｂに対し挿通される断面八角形挿通孔４４ｃの位置を９０度変位させ、折戸１が全開位置にあるとき上側カム部４８が下限位置にあるようにし、扉に手を掛けて閉じ全閉位置に達したとき上側カム部４８が上限位置にあるようすると、扉に手を掛けた手を離すと上下側カム部４８、４４に折戸１の全荷重が集中するため自動的に開き、元の全開時に戻る。自開、自閉いずれの折戸１の場合においても、上部ヒンジ５は単にガイドとして作用する。
ガイド部２は、レールＱに沿って転動する転動体２１２に連動するガイド軸２２２によって戸先扉Ｘが水平方向に移動するとともに、ガイド軸２２２に対し摺動可能な貫通孔２３１ｄが穿設されたシリンダ部２３１ｃという構造から、ガイド部２は折戸１の荷重支持には関与せず、折戸１の全荷重が下部ヒンジ４に集中でき上下側カム部４８、４４によるグレビテイヒンジが有効に作用する。
更に、戸先扉Ｘ及び吊元扉Ｙの連結部にギア蝶番３を介在させたから戸先扉Ｘの荷重は局部的に集中することなく吊元扉Ｙ側に伝達されるので、吊元扉Ｙと戸先扉Ｘが変形することはない。
【００１８】
次に、前記した折戸１のうち、ガイド部２、下部ヒンジ４及び上部ヒンジ５の変形例（図示省略）について説明する。
ガイド部の変形例として、レールＱに沿って摺動する摺動体に上下方向に貫通孔が穿設され、該貫通孔に戸先扉Ｘの上縁部に上向きに突設されたガイド軸を下から挿着して戸先扉Ｘが上下摺動可能とする構成としてもよい。
又ガイド部の他の変形例として、単純化して戸先扉Ｘの上縁部に上向きに突設された転動軸をガイド軸と兼ねさせて、該転動軸兼ガイド軸の先端部に転動体を回動可能に装着し、該転動体をレールＱに沿って転動させ、レールＱの溝形空間の上下方向間隔をグレビテイヒンジの上下側カム部４８、４４の上限及び下限間の高さより大きくとる構成としてもよい。
以上ガイド部の各変形例においても、ガイド軸を介して戸先扉Ｘは上下可能であり、ガイド部は折戸側の荷重支持に関与することなく、グレビテイヒンジが有効に作用する。
更に、前記折戸１では下部ヒンジ４をグレビテイヒンジとし、上部ヒンジ５をトップヒンジとして説明したが、下部ヒンジをトップヒンジに入替え、上部ヒンジ５をグレビテイヒンジに入替えて用いることとしてもよく、前記折戸１と同様に作用する。
【００１９】
【発明の効果】
本発明の自開、自閉可能折戸によれば、ガイド部が折戸の荷重支持には全く関与せず、折戸の全荷重がグレビテイヒンジが形成されている下部ヒンジ又は上部ヒンジに集中するため上下側カム部によるグレビテイヒンジの作用が有効に作用し、戸先扉及び吊元扉連結部のギア蝶番により吊元扉と戸先扉の変形がなく全閉時に扉面を面一に保持でき、扉に手を掛けて閉じたとき手を離すと自動的に開放又は扉に手を掛けて開いたとき手を離すと自動的に閉鎖することが確実に達成可能である。
【図面の簡単な説明】
【図１】本発明の自開、自閉可能折戸の一例の一部を分解した概略斜視図である。
【図２】図１の自開、自閉可能折戸の概略斜視図で、（ａ）全閉状態、（ｂ）半開き状態を示す。
【図３】図１の自開、自閉可能折戸の概略斜視図で、（ａ）全開状態を示す。（ｂ）中間押さえ材の概略斜視図である。
【図４】図１乃至図３の自開、自閉可能折戸に用いるガイド部の（ａ）構成要素、（ｂ）レールへの取付け状態を示す概略斜視図である。
【図５】図１乃至図３の自開、自閉可能折戸に用いるギア蝶番の外側からみた概略斜視図で、（ａ）折戸開放時、（ｂ）折戸開放時において扉を除いた状態を示す。（ｃ）中間押え部材、（ｄ）支承材、（ｄ）ギア部の各平面図である。
【図６】図１乃至図３の自開、自閉可能折戸に用いる（ａ）下部ヒンジの全部、（ｂ）上部ヒンジの一部の、構成要素の概略斜視図である。
【図７】図１乃至図３の自開、自閉可能折戸に用いる下部ヒンジの（ａ）扉閉鎖時の組立て、（ｂ）扉開放時の組立て、（ｃ）、（ｄ）作動状態の変化を示す概略斜視図である。
【符号の説明】
１　折戸
２　ガイド部
２１　ランナー
２２　中間部材
２３　ガイド受け部材
２１１ｅ　係合孔
２１２　転動体
２１３　転動軸
２２１ａ　係合片
２２２　ガイド軸
２３１　扉取付材
２３２　カバー
３　ギア蝶番
３２　ギア部
３３　支承部
３４　中間押え板
３２１　セクタギア
３２２　軸受け
３２５　切欠部
３３４　軸部
４　　下部ヒンジ
５　　上部ヒンジ
４Ｄ、５Ｄ　下ヒンジ材
４Ｕ、５Ｕ　上ヒンジ材
４３、５３　基軸
４４　下側カム部
４８　上側カム部
Ｐ１、Ｐ２　縦枠
Ｐ３　上枠
Ｑ　上部レール
Ｘ　戸先扉
Ｙ　吊元扉
【図１】
2004116267.tif 000003
【図２】
2004116267.tif 000004
【図３】
2004116267.tif 000005
【図４】
2004116267.tif 000006
【図５】
2004116267.tif 000007
【図６】
2004116267.tif 000008
【図７】
2004116267.tif 000009